【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
第１流体が第１方向（Ｓｂ）に流れる複数の第１流体流路（２７ａ、２７ｂ）が前記第１方向に交差する第２方向（Ｓａ）に並べられて、前記複数の流体流路のうち隣り合う２つの流体流路の間には、前記第１方向に交差し、かつ前記第２方向に交差する第３方向（Ｓｃ）に第２流体が流れる第２流体流路（２４Ａ）を形成する積層熱交換部（２４Ｂ）と、前記複数の第１流体流路に対して前記第１方向に配置されて前記複数の流体流路に第１流体を分配する分配部（２８ｂ）と、前記複数の第１流体流路に対して前記第１方向に配置されて前記複数の流体流路から第１流体を回収する回収部（２８ａ）とを有する熱交換コア（２２）と、
前記第２流体が流入する入口（７０ａ）を有し、前記入口に流入した前記第２流体を前記熱交換コアのうち前記第２流体流路の入口側に案内する吸入タンク（２１ａ）と、を備え、
前記複数の第１流体流路を流れる前記第１流体と前記第２流体流路を流れる前記第２流体との間で熱交換する熱交換器であって、
前記吸入タンク内の前記第２流体が前記分配部或いは前記回収部に流れ込むことを抑制する流通抑制部（３６）を備え、
前記流通抑制部および前記吸入タンクは、一体成形品として構成されており、
前記分配部および前記回収部は、前記複数の第１流体流路に対して前記第１方向の一方側に配置され、かつ前記第３方向に互いにオフセットして配置されている分配回収部（２８）を構成し、
前記熱交換コアのうち前記第２流体流路の入口側に固定され、前記積層熱交換部および前記分配回収部を囲むように形成されている溝部（３３ａ）が形成されている枠（３２ａ）と、
前記枠内に配置されているパッキン（３４ａ）と、を備え、
前記枠がカシメられた状態で前記枠が前記吸入タンクに係合されて前記吸入タンクを保持しており、
前記パッキンが前記吸入タンクおよび前記枠の間で弾性変形により圧縮された状態で前記吸入タンクおよび前記枠の間を密閉する熱交換器。 
【請求項２】
前記流通抑制部は、前記分配回収部に対して前記第１方向の他方側に配置されると共に前記第２方向に亘って形成されて前記吸入タンク内の前記第２流体が前記分配回収部に流れ込むことを抑制する第１壁部（３６）を備える請求項１に記載の熱交換器。
【請求項３】
第１流体が第１方向（Ｓｂ）に流れる複数の第１流体流路（２７ａ、２７ｂ）が前記第１方向に交差する第２方向（Ｓａ）に並べられて、前記複数の流体流路のうち隣り合う２つの流体流路の間には、前記第１方向に交差し、かつ前記第２方向に交差する第３方向（Ｓｃ）に第２流体が流れる第２流体流路（２４Ａ）を形成する積層熱交換部（２４Ｂ）と、前記複数の第１流体流路に対して前記第１方向に配置されて前記複数の流体流路に第１流体を分配する分配部（２８ｂ）と、前記複数の第１流体流路に対して前記第１方向に配置されて前記複数の流体流路から第１流体を回収する回収部（２８ａ）とを有する熱交換コア（２２）と、
前記第２流体が流入する入口（７０ａ）を有し、前記入口に流入した前記第２流体を前記熱交換コアのうち前記第２流体流路の入口側に案内する吸入タンク（２１ａ）と、を備え、
前記複数の第１流体流路を流れる前記第１流体と前記第２流体流路を流れる前記第２流体との間で熱交換する熱交換器であって、
前記吸入タンク内の前記第２流体が前記分配部或いは前記回収部に流れ込むことを抑制する流通抑制部（３６）を備え、
前記流通抑制部および前記吸入タンクは、一体成形品として構成されており、
前記分配部および前記回収部は、前記複数の第１流体流路に対して前記第１方向の一方側に配置され、かつ前記第３方向に互いにオフセットして配置されている分配回収部（２８）を構成し、
前記流通抑制部は、前記分配回収部に対して前記第１方向の他方側に配置されると共に前記第２方向に亘って形成されて前記吸入タンク内の前記第２流体が前記分配回収部に流れ込むことを抑制する第１壁部（３６）を備え、
前記積層熱交換部は、前記第２方向に並べられて前記第１流体流路をそれぞれ形成する複数の流路形成部（２３）を備え、前記複数の流路形成部のうち隣り合う２つの流路形成部の間には、前記第１流体と前記第２流体との間で熱交換するフィン（２４）を収納する前記第２流体流路が形成されており、
前記第１壁部のうち前記積層熱交換部側の端部は、
前記第２方向に並べられて、前記複数の流路形成部のそれぞれとの間に間隔を開ける複数の間隔形成部（３９ｂ）と、
前記複数の間隔形成部のうち隣り合う２つの間隔形成部の間に配置されて前記フィンに接触するフィン接触部（３９ａ）とを備える熱交換器。 
【請求項４】
第１流体が第１方向（Ｓｂ）に流れる複数の第１流体流路（２７ａ、２７ｂ）が前記第１方向に交差する第２方向（Ｓａ）に並べられて、前記複数の流体流路のうち隣り合う２つの流体流路の間には、前記第１方向に交差し、かつ前記第２方向に交差する第３方向（Ｓｃ）に第２流体が流れる第２流体流路（２４Ａ）を形成する積層熱交換部（２４Ｂ）と、前記複数の第１流体流路に対して前記第１方向に配置されて前記複数の流体流路に第１流体を分配する分配部（２８ｂ）と、前記複数の第１流体流路に対して前記第１方向に配置されて前記複数の流体流路から第１流体を回収する回収部（２８ａ）とを有する熱交換コア（２２）と、
前記第２流体が流入する入口（７０ａ）を有し、前記入口に流入した前記第２流体を前記熱交換コアのうち前記第２流体流路の入口側に案内する吸入タンク（２１ａ）と、を備え、
前記複数の第１流体流路を流れる前記第１流体と前記第２流体流路を流れる前記第２流体との間で熱交換する熱交換器であって、
前記吸入タンク内の前記第２流体が前記分配部或いは前記回収部に流れ込むことを抑制する流通抑制部（３６）を備え、
前記流通抑制部および前記吸入タンクは、一体成形品として構成されており、
前記分配部および前記回収部は、前記複数の第１流体流路に対して前記第１方向の一方側に配置され、かつ前記第３方向に互いにオフセットして配置されている分配回収部（２８）を構成し、
前記流通抑制部は、前記分配回収部に対して前記第１方向の他方側に配置されると共に前記第２方向に亘って形成されて前記吸入タンク内の前記第２流体が前記分配回収部に流れ込むことを抑制する第１壁部（３６）を備え、
前記第３方向のうち前記第２流体の流れ方向上流側を前記第３方向一方側とした場合において、前記熱交換コアに支持されて、前記熱交換コアのうち前記第３方向一方側端部にて前記積層熱交換部および前記分配回収部を囲むように形成されて前記吸入タンクを保持する保持部（３２ａ）を備え、
前記第１壁部のうち前記第２方向の一方側端部（３６ａ）および前記保持部の間には間隔が設けられており、
前記第１壁部のうち前記第２方向の他方側端部（３６ｂ）および前記保持部の間には間隔が設けられている熱交換器。
【請求項５】
前記第１壁部のうち前記積層熱交換部側の端部は、前記積層熱交換部との間に間隔を開けている請求項２、３、４のいずれか１つに記載の熱交換器。 
【請求項６】
前記積層熱交換部は、前記第２方向に並べられて前記第１流体流路をそれぞれ形成する複数の流路形成部（２３）を備え、前記複数の流路形成部のうち隣り合う２つの流路形成部の間には、前記第１流体と前記第２流体との間で熱交換するフィン（２４）を収納する前記第２流体流路が形成されており、
前記第１壁部のうち前記積層熱交換部側の端部は、
前記第２方向に並べられて、前記複数の流路形成部のそれぞれとの間に間隔を開ける複数の間隔形成部（３９ｂ）と、
前記複数の間隔形成部のうち隣り合う２つの間隔形成部の間に配置されて前記フィンに接触するフィン接触部（３９ａ）とを備える請求項２または４に記載の熱交換器。 
【請求項７】
前記第３方向のうち前記第２流体の流れ方向上流側を前記第３方向一方側とした場合において、前記熱交換コアに支持されて、前記熱交換コアのうち前記第３方向一方側端部にて前記積層熱交換部および前記分配回収部を囲むように形成されて前記吸入タンクを保持する保持部（３２ａ）を備え、
前記第１壁部のうち前記第２方向の一方側端部（３６ａ）および前記保持部の間には間隔が設けられており、
前記第１壁部のうち前記第２方向の他方側端部（３６ｂ）および前記保持部の間には間隔が設けられている請求項２ないし６のいずれか１つに記載の熱交換器。
【請求項８】
前記流通抑制部は、
前記分配回収部に対して前記第３方向一方側に配置されて前記第１壁部のうち前記第２方向の一方側端部から前記第１方向の一方側に延びるように形成されている第２壁部（３７）と、
前記分配回収部に対して前記第３方向一方側に配置されて前記第１壁部のうち前記第２方向の他方側端部（３６ｂ）から前記第１方向の一方側に延びるように形成されている第３壁部（３８）と、
を備える請求項７に記載の熱交換器。
【請求項９】
前記流通抑制部は、前記分配回収部のうち前記第１壁部、前記第２壁部、および前記第３壁部によって囲まれる部分を塞ぐように形成されている閉塞部（９０）を備える請求項８に記載の熱交換器。 
【手続補正２】
【補正対象書類名】明細書
【補正対象項目名】０００９
【補正方法】変更
【補正の内容】
【０００９】
上記目的を達成するため、請求項１に記載の発明では、第１流体が第１方向（Ｓｂ）に流れる複数の第１流体流路（２７ａ、２７ｂ）が第１方向に交差する第２方向（Ｓａ）に並べられて、複数の流体流路のうち隣り合う２つの流体流路の間には、第１方向に交差し、かつ第２方向に交差する第３方向（Ｓｃ）に第２流体が流れる第２流体流路（２４Ａ）を形成する積層熱交換部（２４Ｂ）と、複数の第１流体流路に対して第１方向に配置されて複数の流体流路に第１流体を分配する分配部（２８ｂ）と、複数の第１流体流路に対して第１方向に配置されて複数の流体流路から第１流体を回収する回収部（２８ａ）とを有する熱交換コア（２２）と、
第２流体が流入する入口（７０ａ）を有し、入口に流入した第２流体を熱交換コアのうち第２流体流路の入口側に案内する吸入タンク（２１ａ）と、を備え、
複数の第１流体流路を流れる第１流体と第２流体流路を流れる第２流体との間で熱交換する熱交換器であって、
吸入タンク内の第２流体が分配部或いは回収部に流れ込むことを抑制する流通抑制部（３６）を備え、流通抑制部および吸入タンクは、一体成形品として構成されており、
分配部および回収部は、複数の第１流体流路に対して第１方向の一方側に配置され、かつ第３方向に互いにオフセットして配置されている分配回収部（２８）を構成し、
熱交換コアのうち第２流体流路の入口側に固定され、積層熱交換部および分配回収部を囲むように形成されている溝部（３３ａ）が形成されている枠（３２ａ）と、
枠内に配置されているパッキン（３４ａ）と、を備え、
枠がカシメられた状態で枠が吸入タンクに係合されて吸入タンクを保持しており、
パッキンが吸入タンクおよび枠の間で弾性変形により圧縮された状態で吸入タンクおよび枠の間を密閉する。